(57)【要約】      （修正有）【課題】ディスク挿入の検知、ディスクサイズの判別、およびディスク排出位置の検知を１組の光学素子で行うことができ、構成を簡略化したディスク検知機構を得ること。【解決手段】ディスク再生装置の筐体に回転可能に支持された回転軸６を有し、モータ７により回転駆動され、ディスクの搬送を行う駆動ローラ４と、ディスク再生装置の筐体に回転可能に支持された回転軸５を有し、ディスクと接触して回転する補助ローラ３と、補助ローラの回転軸の一端に取り付けられ、補助ローラと共に回転し、複数の貫通孔を等間隔に設けたエンコーダディスク１０と、光を照射する発光素子１１ａと、光を受光して信号を出力する受光素子１１ｂとを、エンコーダディスクを挟むように対向して配置したフォトインタラプタ１１とを備えた。【選択図】図１
2008226382.tif 000002
【特許請求の範囲】
【請求項１】
ディスク再生装置のディスク挿入／排出口を介して挿入／排出されるディスクを検知するディスク検知機構において、
前記ディスク再生装置の筐体に回転可能に支持された回転軸を有し、モータにより回転駆動され、前記ディスクの搬送を行う駆動ローラと、
前記ディスク再生装置の筐体に回転可能に支持された回転軸を有し、前記ディスクと接触して回転する補助ローラと、
前記補助ローラの回転軸の一端に取り付けられ、前記補助ローラと共に回転し、複数の貫通孔を等間隔に設けたエンコーダディスクと、
光を照射する発光素子と、前記光を受光して信号を出力する受光素子とを、前記エンコーダディスクを挟むように対向して配置したフォトインタラプタと
を備えたことを特徴とするディスク検知機構。
【請求項２】
前記補助ローラを、前記駆動ローラよりも、前記ディスク挿入／排出口側へ配置したことを特徴とする請求項１記載のディスク検知機構。
【発明の詳細な説明】
【技術分野】
【０００１】
この発明は、ディスク再生装置におけるディスク検知機構に関する。
【背景技術】
【０００２】
従来のディスク検知機構には、光学式のものとして、光を照射する発光素子と前記光を受光して信号を出力する受光素子をディスク再生装置に挿入されるディスクに対して垂直方向に対向させて配置したり、発光素子と受光素子を同一面内に配置して、プリズム等により発光素子から照射された光を屈折させて受光素子に入射するようにし、発光素子から照射された光をディスクに遮光させることによってディスク挿入の有無を検知するようにしたものがある。また、機械式のものとして、ディスク挿入口の内部に、該ディスク挿入口の幅方向に沿って移動可能な２つのピンに、該２つのピンの相互間距離を縮める方向に付勢力を与えるスプリング部材を設け、ディスクを挿入時の該２つのピンの相互間距離の変化により、ディスクの挿入及びサイズを検知するものがある（例えば特許文献１参照）。
【０００３】
【特許文献１】特開２００２−２６９８８３号公報
【発明の開示】
【発明が解決しようとする課題】
【０００４】
従来のディスク検知機構は上記のように構成されていたため、光学式のものでは、発光素子から照射された光を受光素子へ正確に入射する必要があり、発光素子、受光素子、プリズム等（以下、光学素子）の位置ずれや傾きが発生しないよう高い組み付け精度と、複雑な構造が要求されるという課題があった。また、ディスク再生装置の製品毎に発光素子から受光素子までの光路長が大きく変化し、製品毎に光学素子の選定や回路設計を行う必要があるという課題があった。また、ディスクの挿入を検知するだけでなく、ディスクサイズや、ディスク排出時のディスクの排出量を検知するためには、光学素子が２組以上必要になるという課題があった。また、光透過率の高いディスクが挿入された場合、発光素子から照射された光が透過してしまうため、ディスクが挿入されたことを検知できない、あるいはディスク排出動作時にディスクを検知できず落下させてしまうといった課題があった。また、ディスクを直接検知するために光学素子はディスク挿入／排出口付近に設ける必要があり、かつ光学素子にカバーを設けることができないため塵埃や外乱光による影響を受けやすいという課題があった。また、機械式ディスク検知機構では、部品点数が増え、構造が複雑となる課題があった。
【０００５】
この発明は上記のような課題を解決するためになされたもので、ディスク挿入の検知、ディスクサイズの判別、およびディスク排出位置の検知を１組の光学素子で行うことができ、構成を簡略化したディスク検知機構を得ることを目的とする。
【課題を解決するための手段】
【０００６】
この発明に係るディスク検知装置は、ディスク再生装置に挿入されたディスクに接触して回転する補助ローラと、前記補助ローラの回転軸の一端に取り付けられ、前記補助ローラと共に回転し、複数の貫通孔を等間隔に設けたエンコーダディスクと、光を照射する発光素子と、前記光を受光して信号を出力する受光素子とを、前記エンコーダディスクを挟むように対向して配置したフォトインタラプタとを備えたことを特徴とする。
【発明の効果】
【０００７】
この発明によれば、ディスクと接触して回転する補助ローラの回転軸の一端にエンコーダディスクを設け、光を照射する発光素子と、前記発光素子の光を受光して信号を出力する受光素子とを前記エンコーダディスクを挟むように対向して設けたので、ディスク挿入の検知、ディスクサイズの判別、ディスク排出位置の検知を１組の光学素子で行うことができ、ディスク検知機構の構成を簡略化できるという効果がある。
【発明を実施するための最良の形態】
【０００８】
以下、この発明を実施するための最良の形態について、添付の図面に従って説明する。
実施の形態１．
図１は、実施の形態１によるディスク検知機構を設けたディスク再生装置のディスクローディング機構の構成図であり、両端をディスク再生装置の筐体２に回転可能に支持された回転軸５を有し、図示しないディスク挿入／排出口を介して挿入／排出されるディスク１の下面と接触して回転する補助ローラ３と、回転軸５の一端側に取り付けられ、回転軸５と共に回転するエンコーダディスク１０と、赤外光を照射する赤外ＬＥＤ１１ａ（発光素子）と赤外ＬＥＤ１１ａからの赤外光を受光して信号を出力するフォトトランジスタ１１ｂ（受光素子）と設けたフォトインタラプタ１１と、フォトトランジスタ１１ｂから出力された信号を受信して、該信号に基づきディスク１の挿入を検知し、ディスク１の搬送量および駆動モータ７の電圧制御量を算出してモータ制御回路１３への指示を行うコントローラ１２と、コントローラ１２からの指示に基づき、駆動モータ７の制御を行うモータ制御回路１３と、モータ制御回路１３により制御されて駆動する駆動モータ７と、駆動モータ７の出力軸に取り付けられ駆動モータ７の駆動力を伝達するギア８と、両端を筐体２に回転可能に支持され、一端側にギア８と嵌合するギア９を備え、駆動モータ７によりギア８，９を介して駆動される回転軸６と、ディスク１の下面と接触して、回転軸６の回転によりディスク１の搬送を行う駆動ローラ４とを備える。
【０００９】
図２は、エンコーダディスク１０およびフォトインタラプタ１１の側面図である。エンコーダディスク１０には、回転軸５を回転中心とする点線で示された円１０ｂ上に、複数の貫通孔１０ａが等間隔に設けられており、フォトインタラプタ１１には、このエンコーダディスク１０を挟んで、赤外ＬＥＤ１１ａとフォトトランジスタ１１ｂとが円１０ｂ上に対向して設けられている。またフォトインタラプタ１１に設けられた赤外ＬＥＤ１１ａから照射された赤外光は、貫通孔１０ａでは通過し、貫通孔１０ａ以外では遮光されるため、エンコーダディスク１０の回転により、赤外ＬＥＤ１１ａから照射された赤外光の遮光と通過が交互に繰り返される。このためエンコーダディスク１０の回転に応じて、フォトトランジスタ１１ｂからパルス状に信号が出力される。この信号の出力数をコントローラ１２でカウントすることにより、ディスク１の搬送量を算出して、ディスク１のサイズが１２ｃｍか８ｃｍかを判別することができる。また、前記信号の出力周期からディスク１の搬送速度を算出することができる。
なお、補助ローラ３、回転軸５、エンコーダディスク１０、およびフォトインタラプタ１１により、ディスク検知機構が構成される。
【００１０】
次に動作について説明する。
この実施の形態１によるディスク検知機構を備えたディスク再生装置のユーザ（以下ユーザ）がディスク１を図示しない挿入／排出口から挿入すると、ディスク１の下面が補助ローラ３に接触して、該補助ローラ３を回転させ、その一端に取り付けられたエンコーダディスク１０も回転する。同時にフォトトランジスタ１１ｂからは、エンコーダディスク１０の回転に応じて信号がパルス状に出力されるため、コントローラ１２は、フォトトランジスタ１１ｂから出力された信号によりディスク１が挿入されたことを検知し、該信号の出力数のカウントを開始すると共に、モータ制御回路１３へ、駆動モータ７を駆動するよう指示を出す。次に、モータ制御回路１３は、コントローラ１２からの指示を受け取ると、ディスク１をディスク再生装置内へ搬送するように駆動モータ７を制御する。
【００１１】
駆動モータ７は、モータ制御回路１３からの制御により、ディスク１をディスク再生装置内へ搬送する方向へ回転する。次に、駆動ローラ４がギア８、９を介して駆動モータ７により駆動され、ディスク１をディスク再生装置内へ搬送する。ディスク１の下面が補助ローラ３へ接触している間、補助ローラ３は回転を続け、該回転に伴いフォトトランジスタ１１ｂからは、パルス状に信号が出力されるため、駆動ローラ４は回転を続ける。そして、ディスク１が搬送されることによりディスク１の下面が補助ローラ３に接触しなくなると、補助ローラ３の回転は停止し、フォトインタラプタ１１からも信号が出力されなくなる。コントローラ１２は、フォトインタラプタ１１から信号が一定周期で出力されなくなると、信号の出力数から挿入されたディスク１の搬送量を算出して記憶すると共に、所定時間経過後、駆動モータ７の駆動を停止する指示を出す。モータ制御回路１３は、コントローラ１２の指示に基づき駆動モータ７の駆動を停止する。これにより、ディスク１は点線で示した位置まで搬送され、図示しないターンテーブル上に搭載される。
【００１２】
また、ディスク１の排出時には、ユーザがディスクの取り出しボタンを押すことにより、ディスク１がターンテーブルから図１の点線で示した位置に移動し、コントローラ１２からの指示により、ディスク１が実線で示された位置の方向へ搬送されるように、駆動ローラ４が駆動モータ７により駆動される。ディスク１が駆動ローラ４により搬送されると、補助ローラ３がディスク１の下面と接触して回転し、フォトトランジスタ１１ｂから信号が出力される。コントローラ１２は、該信号の出力数をカウントして、ディスク１の挿入時に記憶したディスク１のサイズに基づき、予め決められた排出量だけディスク１が搬送されると、モータ制御回路１３へ駆動モータ７の停止指示を出す。
【００１３】
以上のように、この実施の形態１によれば、ディスク１と接触して回転する補助ローラ３の回転軸５の一端に、複数の貫通孔１０ａを円１０ｂ上に等間隔に設けたエンコーダディスク１０と、エンコーダディスク１０の回転を検知して信号を出力するフォトインタラプタ１１を備えたので、ディスク１の挿入検知、ディスク１のサイズの判別およびディスク１の排出位置の検知を１組の赤外ＬＥＤ１１ａおよびフォトトランジスタ１１ｂで行うことができ、ディスク検知機構を簡略化できるという効果がある。
また、図示例は、補助ローラ３をディスク挿入／排出口側に配置したので、ディスク１の挿入時に、ディスク１が補助ローラ３に接触して回転させるため、フォトトランジスタ１１ｂからパルス信号が出力される。コントローラ１２は、該信号によりディスク１の挿入を検知して、モータ制御回路１３へ駆動モータ７の駆動指示を出し、駆動モータ７がモータ制御回路１３により駆動されるため、駆動ローラ４によりディスク１が搬送される。このためユーザがディスク１をディスク挿入／排出口に挿入するだけで自動的にディスク１がディスク再生装置内へ搬送されるという効果がある。
【００１４】
また、ディスク１の排出時も、挿入時と同様にディスク１の搬送量を算出することができるので、挿入時に判別したディスク１のサイズに応じて、駆動モータ７を停止させることができ、ディスク１のサイズや意匠部品の使用等に応じて、ディスク１の最適な排出量を任意に調整できる効果がある。また、補助ローラ３がディスク１と接触するため、ディスク１の落下を防止できる効果がある。また、光学素子を構成する赤外ＬＥＤ１１ａおよびフォトトランジスタ１１ｂをディスク挿入／排出口付近に設ける必要が無く、赤外ＬＥＤ１１ａおよびフォトトランジスタ１１ｂのみに容易にカバーを設けることが可能であり、この場合、外乱光や塵埃の影響を受け難い検知機構を提供できるという効果がある。
【００１５】
なお、実施の形態１では、補助ローラ３および駆動ローラ４はディスク１の同一面（下面）に接触する配置としたが、ディスク１の上面に接触するように配置してもよい。またディスク１を挟み込むように補助ローラ３をディスク１の上面に、駆動ローラ４をディスク１の下面に、もしくは駆動ローラ４をディスク１の上面に、補助ローラ３をディスク１の下面に接触するように配置する構造としても良い。また図示例とは反対に、駆動ローラ４をディスク挿入／排出口側に、補助ローラ３を奥側に配置するような構造としても良い。このように構成しても、ディスク１との接触により補助ローラ３が回転するので、ディスク１の挿入の検知、ディスク１のサイズの判別、およびディスク１の排出量の検知を行うことができる。また、赤外ＬＥＤ１１ａとフォトトランジスタ１１ｂをフォトインタラプタ１１に設けるように構成したが、赤外ＬＥＤ１１ａとフォトトランジスタ１１ｂをフォトインタラプタ１１に一体に設けず、それぞれ単体とし、この単体の赤外ＬＥＤ１１ａとフォトトランジスタ１１ｂをエンコーダディスク１０を挟んで対向に配置してもよい。
【図面の簡単な説明】
【００１６】
【図１】実施の形態１によるディスク検知装置の構成の一例を示す図である。
【図２】エンコーダディスクとフォトインタラプタの側面図である。
【符号の説明】
【００１７】
１  ディスク、２  筐体、３  補助ローラ、４  駆動ローラ、５  補助ローラ３の回転軸、６  駆動ローラ４の回転軸、７  駆動モータ、８，９  ギア、１０  エンコーダディスク、１０ａ  貫通孔、１０ｂ  円、１１  フォトインタラプタ、１１ａ  赤外ＬＥＤ（発光素子）、１１ｂ  フォトトランジスタ（受光素子）、１２  コントローラ、１３  モータ制御回路。
【図１】
2008226382.tif 000003
【図２】
2008226382.tif 000004